(57)【要約】【課題】クローズドなネットワークシステム内の端末装置に表示された基本広告に関する詳細広告を、そのネットワークシステムにアクセスできない端末装置に表示させる。【解決手段】社員端末２に基本広告を表示し（Ｓ１１〜１３）、社員端末２が受け付けた入力により、表示された基本広告及び社員を特定する（Ｓ１４）。特定されたユーザと関連づけられている個人端末３１に対して、特定された基本広告に係る詳細広告ＵＲＬを送信する（Ｓ１７）。これにより、個人端末３１で詳細広告を表示することができる（Ｓ１８）。【選択図】図６
2008191414.tif 000002
【特許請求の範囲】
【請求項１】
所定のユーザのみが利用可能なネットワークシステム内の第１の端末装置に表示された基本広告に関する詳細広告を、前記ネットワークシステムにアクセスできない第２の端末装置に表示可能とする広告システムであって、
前記第１の端末装置に前記基本広告を表示させる手段と、
前記第１の端末装置に表示された基本広告を特定する特定手段と、
ユーザを特定するための入力を受け付ける受付手段と、
ユーザと前記第２の端末装置のアドレス情報とを関連づけて記憶する手段と、
前記受付手段が受け付けた前記入力により特定されるユーザと関連づけられている第２の端末装置のアドレス情報に基づいて、前記特定手段により特定された基本広告に係る詳細広告のための情報を送信する送信手段と、を備える広告システム。
【請求項２】
前記第１の端末装置には、前記基本広告とともに当該基本広告の識別情報が表示され、
前記特定手段は、前記ユーザから基本広告の識別情報の入力を受け付け、当該入力を受け付けた基本広告の識別情報により、前記基本広告を特定し、
前記送信手段は、前記入力を受け付けた基本広告の識別情報と関連づけられている詳細広告のための情報を送信することを特徴とする請求項１記載の広告システム。
【請求項３】
前記特定手段は、前記受付手段が前記入力を受け付けたときに前記第１の端末装置に表示されている基本広告を特定することを特徴とする請求項１記載の広告システム。
【請求項４】
前記受付手段は、ユーザ識別情報の入力を受け付け、
前記送信手段は、前記受付手段が受け付けたユーザ識別情報と関連づけられている第２の端末装置へ、前記詳細広告のための情報を送信することを特徴とする請求項１記載の広告システム。
【請求項５】
前記受付手段はＩＣリーダであり、
前記ユーザ識別情報が記憶されているＩＣから当該ユーザ識別情報を読み出すことを特徴とする請求項４記載の広告システム。
【請求項６】
前記ネットワークシステムに属する複数の第３の端末装置と、
前記複数の第３の端末装置のそれぞれと前記第２の端末装置のアドレス情報とを関連付けて記憶した記憶手段と、をさらに備え、
前記第３の端末装置は、前記特定手段であって、基本広告の識別情報の入力を受け付けて、前記第１の端末装置に表示された基本広告を特定する特定手段を、それぞれ備え、
前記送信手段は、前記記憶手段を参照して、前記基本広告の識別情報の入力を受け付けた特定手段に係る第３の端末装置と関連付けられている前記第２の端末装置のアドレス情報に基づいて、前記詳細広告のための情報を送信することを特徴とする請求項１記載の広告システム。
【請求項７】
前記第１の端末装置に表示された広告表示履歴を記憶する手段と、
前記ネットワークシステムに属し、前記広告表示履歴を表示する第３の端末装置と、をさらに備え、
前記特定手段は、前記第３の端末装置に表示された前記広告表示履歴から１以上の基本広告の選択を受け付けて基本広告を特定することを特徴とする請求項１記載の広告システム。
【請求項８】
前記第１の端末装置は複数あり、
前記複数の第１の端末装置の配置を表示する手段と、
前記表示された前記第１の端末装置の配置に基づいて、一の第１の端末装置の選択を受け付ける手段と、をさらに備え、
前記第３の端末装置には、前記選択により選択された一の第１の端末装置に関する広告表示履歴が表示されることを特徴とする請求項７記載の広告システム。
【請求項９】
所定のユーザのみが利用可能なネットワークシステム内の第１の端末装置に表示された基本広告に関する詳細広告を、前記ネットワークシステムにアクセスできない第２の端末装置に表示可能とするための広告管理装置であって、
前記第１の端末装置に基本広告を表示させるために、広告データを送信する手段と、
前記第１の端末装置に表示された基本広告の指定を受け付ける手段と、
ユーザの指定を受け付ける手段と、
ユーザと前記第２の端末装置のアドレス情報とを関連づけて記憶する手段と、
前記指定されたユーザと関連づけられている第２の端末装置のアドレス情報に基づいて、前記指定された基本広告に係る詳細広告のための情報を送信する手段と、を備える広告管理装置。
【請求項１０】
第１の端末装置に基本広告を表示させるために、広告データを送信するステップと、
前記第１の端末装置に表示された基本広告の指定、及びユーザの指定を受け付けるステップと、
前記指定されたユーザと関連づけられている第２の端末装置に対して、前記指定された基本広告に係る詳細広告のための情報を送信するステップと、を有し、前記第２の端末装置において詳細広告を表示可能とする広告データの管理方法。
【請求項１１】
広告データを管理するためのコンピュータプログラムであって、
第１の端末装置に基本広告を表示させるために、広告データを送信するステップと、
前記第１の端末装置に表示された基本広告の指定、及びユーザの指定を受け付けるステップと、
前記指定されたユーザと関連づけられている第２の端末装置に対して、前記指定された基本広告に係る詳細広告のための情報を送信するステップと、をコンピュータに実行させて、前記第２の端末装置において詳細広告を表示可能とするコンピュータプログラム。
【発明の詳細な説明】
【技術分野】
【０００１】
本発明は、クローズドネットワーク内の端末装置に表示された広告に関する詳細な広告情報を、クローズドネットワークに属さない端末装置に表示させる技術に関する。
【背景技術】
【０００２】
昨今、各社員に一人一台以上のパーソナルコンピュータなどの端末装置を貸与し、社員専用のクローズドなネットワークシステムを構築している企業が多い。これにより、各社員は必要なときに必要なだけ端末装置を利用できる。一方で、各社員に一人一台以上の端末装置を貸与すると、当然、各端末装置が利用されない遊休時間帯というのも少なくない。例えば、会議中の社員の机上の端末装置は、利用されていないことが多い。
【０００３】
そこで、端末装置のスクリーンセーバーを利用して広告を表示させる技術が知られている（例えば、特許文献１）。これにより、端末装置の遊休時間帯を利用した広告の提供を行うことができる。
【特許文献１】特開２００５−２７６１４２号公報
【発明の開示】
【発明が解決しようとする課題】
【０００４】
しかしながら、スクリーンセーバーで詳細な広告情報を表示させると、業務に支障が出る可能性がある。一方、概要だけを表示した広告では、広告効果が限られる。
【０００５】
例えば、広告の概要と詳細広告のＵＲＬを表示させ、詳細広告へ誘導するような表示をしたとしても、社内の端末装置から業務と関連が薄いサイトへのアクセスが禁止されていることもある。あるいは、その広告に興味を抱いた社員が、後で個人の端末装置を利用して詳細な広告を見ようと思っていても、ＵＲＬを忘れてしまったり、そもそもその広告のことを忘れてしまったりして、詳細な広告を見ないで終わってしまうことも多い。
【０００６】
そこで、本発明の目的は、クローズドなネットワークシステム内の端末装置に表示された基本広告に関する詳細広告を、そのネットワークシステムにアクセスできない端末装置に表示させることである。
【課題を解決するための手段】
【０００７】
本発明の一実施態様に従う広告システムは、所定のユーザのみが利用可能なネットワークシステム内の第１の端末装置に表示された基本広告に関する詳細広告を、前記ネットワークシステムにアクセスできない第２の端末装置に表示可能とするシステムである。そして、この広告システムは、前記第１の端末装置に前記基本広告を表示させる手段と、前記第１の端末装置に表示された基本広告を特定する特定手段と、ユーザを特定するための入力を受け付ける受付手段と、ユーザと前記第２の端末装置のアドレス情報とを関連づけて記憶する手段と、前記受付手段が受け付けた前記入力により特定されるユーザと関連づけられている第２の端末装置のアドレス情報に基づいて、前記特定手段により特定された基本広告に係る詳細広告のための情報を送信する送信手段と、を備える。
【０００８】
好適な実施形態では、前記第１の端末装置には、前記基本広告とともに当該基本広告の識別情報が表示され、前記特定手段は、前記ユーザから基本広告の識別情報の入力を受け付け、当該入力を受け付けた基本広告の識別情報により、前記基本広告を特定し、前記送信手段は、前記入力を受け付けた基本広告の識別情報と関連づけられている詳細広告のための情報を送信するようにしてもよい。
【０００９】
好適な実施形態では、前記特定手段は、前記受付手段が前記入力を受け付けたときに前記第１の端末装置に表示されている基本広告を特定するようにしてもよい。
【００１０】
好適な実施形態では、前記受付手段は、ユーザ識別情報の入力を受け付け、前記送信手段は、前記受付手段が受け付けたユーザ識別情報と関連づけられている第２の端末装置へ、前記詳細広告のための情報を送信するようにしてもよい。
【００１１】
好適な実施形態では、前記受付手段はＩＣリーダであり、前記ユーザ識別情報が記憶されているＩＣから当該ユーザ識別情報を読み出すようにしてもよい。
【００１２】
好適な実施形態では、前記ネットワークシステムに属する複数の第３の端末装置と、前記複数の第３の端末装置のそれぞれと前記第２の端末装置のアドレス情報とを関連付けて記憶した記憶手段と、をさらに備える。そして、前記第３の端末装置は、前記特定手段であって、基本広告の識別情報の入力を受け付けて、前記第１の端末装置に表示された基本広告を特定する特定手段を、それぞれ備え、前記送信手段は、前記記憶手段を参照して、前記基本広告の識別情報の入力を受け付けた特定手段に係る第３の端末装置と関連付けられている前記第２の端末装置のアドレス情報に基づいて、前記詳細広告のための情報を送信するようにしてもよい。
【００１３】
好適な実施形態では、前記第１の端末装置に表示された広告表示履歴を記憶する手段と、前記ネットワークシステムに属し、前記広告表示履歴を表示する第３の端末装置と、をさらに備える。そして、前記特定手段は、前記第３の端末装置に表示された前記広告表示履歴から１以上の基本広告の選択を受け付けて基本広告を特定するようにしてもよい。
【００１４】
好適な実施形態では、前記第１の端末装置は複数あり、前記複数の第１の端末装置の配置を表示する手段と、前記表示された前記第１の端末装置の配置に基づいて、一の第１の端末装置の選択を受け付ける手段と、をさらに備える。そして、前記第３の端末装置には、前記選択により選択された一の第１の端末装置に関する広告表示履歴が表示されるものであってもよい。
【００１５】
本発明の一実施態様に従う広告管理装置は、所定のユーザのみが利用可能なネットワークシステム内の第１の端末装置に表示された基本広告に関する詳細広告を、前記ネットワークシステムにアクセスできない第２の端末装置に表示可能とするためのである。この広告管理装置は、前記第１の端末装置に基本広告を表示させるために、広告データを送信する手段と、前記第１の端末装置に表示された基本広告の指定を受け付ける手段と、ユーザの指定を受け付ける手段と、ユーザと前記第２の端末装置のアドレス情報とを関連づけて記憶する手段と、前記指定されたユーザと関連づけられている第２の端末装置のアドレス情報に基づいて、前記指定された基本広告に係る詳細広告のための情報を送信する手段と、を備える。
【発明を実施するための最良の形態】
【００１６】
以下、本発明の一実施形態に係る広告システムについて、図面を参照して説明する。
【００１７】
図１は、本発明の第１の実施形態に係る広告システムの構成図である。
【００１８】
本実施形態に係る広告システムは、いわゆるイントラネットなどで構築された社員専用のクローズドな社内ネットワークシステム（社内システム）１と、オープンな外部のネットワークシステム３とからなる。
【００１９】
外部ネットワークシステム３は、複数の個人端末３１と、複数の広告サーバ３３とを備える。
【００２０】
社内システム１は、社内サーバ１０と、複数の社員端末２とを備える。
【００２１】
社内サーバ１０及び複数の社員端末２は、いずれも例えば汎用的なコンピュータシステムにより構成され、以下に説明する社内サーバ１０及び複数の社員端末２内の個々の構成要素または機能は、例えば、コンピュータプログラムを実行することにより実現される。
【００２２】
社員端末２は、例えば、各社員に貸与された端末装置であり、各社員の机上に設置されたパーソナルコンピュータなどが相当する。つまり、社員端末２は、液晶モニタなどの表示装置及びキーボードやポインティングデバイスなどの入力装置を備える。また、各社員端末２は、専ら貸与された社員が専用で利用する。そこで、本願明細書では、異なる社員が専ら利用する社員端末２を区別する必要があるときは、社員端末Ａ（社員Ａ専用）、社員端末Ｂ（社員Ｂ専用）と表記する。
【００２３】
また、本実施形態では、後述するように社員端末２に広告を表示させる。ここで社員端末２に表示させる広告を基本広告と呼ぶ。基本広告は、後に説明する詳細広告への誘導を目的とした概要を示す広告である。
【００２４】
社内サーバ１０は、広告データ記憶部１１と、社員情報記憶部１２と、広告配信部１３と、電子メール送信部１４とを備える。
【００２５】
広告データ記憶部１１は、社員端末２に対して表示させる広告に関するデータを記憶する。
【００２６】
図２は、広告データ記憶部１１のデータ項目の一例を示す。すなわち、広告データ記憶部１１は、広告ＩＤ１１１と、基本広告データ１１２と、詳細広告ＵＲＬ１１３とをデータ項目として有する。
【００２７】
広告ＩＤ１１１は、社員端末２に表示させる基本広告及びそれに関連する詳細広告の識別情報である。
【００２８】
基本広告データ１１２は、社員端末２に表示させる基本広告のデータ本体である。基本広告データ１１２は、例えば、プレーンテキスト、あるいはバナーなどの比較的シンプルなデータ構造を有する。
【００２９】
詳細広告ＵＲＬ１１３は、基本広告に関連する詳細な広告情報を提供するサイトのＵＲＬ（Ｕｎｉｖｅｒｓａｌ  Ｒｅｓｏｕｒｃｅ  Ｌｏｃａｔｏｒ）である。例えば、詳細広告ＵＲＬ１１３が、外部システム３のいずれかの広告サーバ３３上のＵＲＬとなっている。
【００３０】
社員情報記憶部１２は、各社員の社員端末の識別情報及び社員が個人で所有している端末装置（個人端末）３１用の電子メールアドレスなどの社員情報を記憶する。
【００３１】
図３は、社員情報記憶部１２のデータ項目の一例を示す。すなわち社員情報記憶部１２は、社員ＩＤ１２１と、社員端末ＩＤ１２２と、個人端末アドレス１２３とをデータ項目として有する。
【００３２】
社員ＩＤ１２１は、各社員の識別情報である。
【００３３】
社員端末ＩＤ１２２は、各社員に貸与された社員端末２の識別情報である。
【００３４】
個人端末アドレス１２３は、各社員の個人端末３１の電子メールアドレスである。個人端末アドレス１２３は、各社員からの申告に基づいて予め登録されている。
【００３５】
広告配信部１３は、広告データ記憶部１１を参照して、社員端末２に任意の広告ＩＤ１１１及び基本広告データ１１２を送信して、基本広告を表示させる。社員端末２に表示させる広告は、基本広告データ１１２に基づく広告の他、広告ＩＤ１１１も表示させてもよい。広告配信部１３が社員端末２に対して送信するタイミングは、例えば、社員端末２からのリクエストに基づいて定めてもよい。
【００３６】
電子メール送信部１４は、社員端末２から社員を特定するための情報（社員ＩＤまたは社員端末ＩＤ）及び基本広告を特定するための情報（広告ＩＤ）を取得すると、その社員の個人端末３１へ、詳細広告ＵＲＬ１１３を送信する。
【００３７】
個人端末３１では、詳細広告ＵＲＬ１１３を用いて、所定の広告サーバ３３へアクセスして詳細な広告情報を取得することができる。
【００３８】
次に、社員端末２の機能について説明する。
【００３９】
社員端末２は、例えば、社員端末２を利用する社員が離席したときや、所定時間以上社員端末２が利用されない状態が継続したときなどに、広告情報の送信を社内サーバ１０へリクエストするようにしてもよい。このリクエストを行うタイミングは、例えば、スクリーンセーバーの起動タイミングと同等であってもよい。
【００４０】
社員端末２は、上記リクエストに対して、社内サーバ１０から基本広告データ１１２を受信すると、スクリーンセーバーのように、それまでに表示装置に表示されていた作業画面を隠して、基本広告を表示装置に表示させる。基本広告を表示中に、社員端末２の入力装置が操作されると基本広告の表示を中断して、例えば図４に示すような作業画面へ復帰するための復帰画面２００に遷移するようにしてもよい。
【００４１】
図４に示す復帰画面２００は、パスワード入力部２１０と、詳細広告取得用社員ＩＤ入力部２２０とを有する。パスワード入力部２１０に、社員端末２を専ら利用する社員が予め設定したパスワードが入力されると、社員端末２は、広告表示を中止して通常の作業画面に復帰する。詳細広告取得用社員ＩＤ入力部２２０に社員ＩＤが入力されると、社員端末２は入力された社員ＩＤ及び表示していた広告の広告ＩＤ１１１を社内サーバ１０へ送信する。
【００４２】
なお、復帰画面は、パスワード入力部２１０のみを含む画面と、詳細広告取得用社員ＩＤ入力部２２０のみを含む画面とを、それぞれ別の画面としてもよい。この場合、それぞれ予め定められた操作（例えば、ユーザによる所定のキーの押下）を受け付けると、それぞれの復帰画面へ遷移するようにしてもよい。
【００４３】
社員端末２が社員ＩＤの入力を受け付ける際、ユーザがキーボードを利用して入力するようにしてもよい。あるいは、社員端末２がＩＣカードリーダを備えているときは、社員証などのＩＣカードに記憶された社員ＩＤをそのＩＣカードリーダに読み取らせてもよい。ＩＣカードリーダは、接触型または非接触型のいずれでもよい。ＩＣカードリーダで社員ＩＤを読み取らせる場合は、復帰画面２００を設けなくてもよい。
【００４４】
また、社員端末２は、表示装置に通常の作業画面が表示されているとき、図５に示すような広告指定画面３００を表示させてもよい。広告指定画面３００は、広告ＩＤの入力部３１０を有する。社員端末２は、広告指定画面３００で入力された広告ＩＤを社員端末ＩＤとともに社内サーバ１０へ送信する。
【００４５】
上記構成を備えた広告システムは、例えば以下のような活用法が想定される。すなわち、ある会社の社内システム１０において、社員Ａが離席している間に、社員端末Ａに基本広告が表示さる。他の社員はこの基本広告を目にする。そのときに、この基本広告に興味を抱いた社員Ｂが詳細な情報を知りたいときは、社員ＩＤ（または社員端末ＩＤ）及び広告ＩＤを社内サーバ１０へ通知することにより、自らの個人端末３１においてその詳細広告へアクセスすることができる。社員ＩＤ（または社員端末ＩＤ）及び広告ＩＤの特定の仕方には様々なものがある。それらについて、フロー図を用いて以下に説明する。
【００４６】
図６は、第１の処理手順を示すフローチャートを示す。
【００４７】
同図によれば、まず、社員端末Ａから社内サーバ１０へ、所定のタイミングで広告リクエストが送信される（Ｓ１１）。
【００４８】
社内サーバ１０は、このリクエストを受けて、広告配信部１３が広告ＩＤ１１１及び基本広告データ１１２を含む広告データを社員端末Ａへ送信する（Ｓ１２）。
【００４９】
社員端末Ａは、広告データを受信して、表示装置に基本広告を表示させる（Ｓ１３）。このときに、社員端末Ａが復帰画面２００やＩＣリーダに対する社員Ｂの社員ＩＤの入力を受け付けると（Ｓ１４）、そのときに表示していた基本広告の広告ＩＤ１１１及び入力された社員ＩＤを社内サーバ１０へ通知する（Ｓ１５）。ここで、社員ＩＤを入力する社員は、社員端末Ａを利用する社員Ａでもよい。
【００５０】
社内サーバ１０は、広告ＩＤ及び社員ＩＤの通知を受け付けると、電子メール送信部１４が、広告データ記憶部１１から通知を受けた広告ＩＤに対応する詳細広告ＵＲＬ１１３を取得し、社員情報記憶部１２を参照して通知を受けた社員ＩＤに対応する個人端末アドレス１２３を取得する（Ｓ１６）。そして、電子メール送信部１４は、個人端末アドレス１２３、つまり社員Ｂの個人端末３１に対して詳細広告ＵＲＬ１１３を含む電子メールを送信する（Ｓ１７）。
【００５１】
社員Ｂの個人端末３１は、この電子メールを受信する。そして、社員Ｂの個人端末３１は、詳細広告ＵＲＬ１１３に従って広告サーバ３３から詳細広告情報を取得して、表示装置に詳細広告を表示させる（Ｓ１８）。
【００５２】
これにより、社内システム１０の社員端末２の空き時間に表示された広告に関する詳細な情報を、社員個人の端末で取得することができる。
【００５３】
図７は、第２の処理手順を示すフローチャートを示す。
【００５４】
第２の処理手順では、ステップＳ１１〜Ｓ１３までは第１の処理手順と同様の処理が行われ、社員端末Ａに基本広告が表示される。
【００５５】
一方、社員端末Ｂでは、広告指定画面３００を利用して、社員Ｂから基本広告の広告ＩＤの入力を受け付ける（Ｓ２４）。社員端末Ｂは、ここで入力された広告ＩＤ及び自らの社員端末ＩＤを社内サーバ１０へ通知する（Ｓ２５）。
【００５６】
社内サーバ１０は、広告ＩＤ及び社員端末ＩＤの通知を受け付けると、電子メール送信部１４が、通知を受けた広告ＩＤに対応する詳細広告ＵＲＬ１１３を広告データ記憶部１１から取得し、社員情報記憶部１２を参照して通知を受けた社員端末ＩＤに対応する個人端末アドレス１２３を取得する（Ｓ２６）。
【００５７】
これ以降、第１の処理手順と同様に、社員Ｂの個人端末に対して詳細広告ＵＲＬ１１３を含む電子メールを送信し（Ｓ１７）、社員Ｂの個人端末で詳細な広告を表示させることができる（Ｓ１８）。
【００５８】
これにより、他人の社員端末に表示されていた基本広告に興味を持った社員が、自分の社員端末を利用して広告を特定すれば、自分の個人端末で詳細広告を参照できるようになる。
【００５９】
次に、本発明の第２の実施形態に係る広告システムについて説明する。本実施形態に係る広告システムは、第１の実施形態と同様に社員端末２に基本広告を表示させ、社員の個人端末３１で詳細広告を参照可能とする。なお、本実施形態の説明では、第１の実施形態と共通する構成については同一の符号を付して説明を省略する場合がある。
【００６０】
図８に、第２の実施形態に係る広告システムの構成図を示す。
【００６１】
本実施形態に係る広告システムは、社内システム５と外部システム３とを備える。社内システム５は、社内サーバ５０と複数の社員端末２を備える。
【００６２】
社内サーバ５０は、例えば汎用的なコンピュータシステムにより構成され、以下に説明する社内サーバ５０内の個々の構成要素または機能は、例えば、コンピュータプログラムを実行することにより実現される。
【００６３】
社内サーバ５０は、広告データ記憶部１１と、社員情報記憶部１２と、広告配信部１３と、電子メール送信部１４と、広告配信履歴記憶部５５と、座席表データ記憶部５６と、履歴管理部５７とを備える。
【００６４】
広告配信履歴記憶部５５は、広告配信部１３が配信した広告データの履歴を記憶する。例えば、広告配信部１３が配信した社員端末ＩＤ、配信した広告ＩＤ、及び配信日時を記憶する。
【００６５】
座席表データ記憶部５６は、社内の座席表に関するデータを記憶する。座席表データは、例えば、オフィスの机のレイアウトデータと、各机に配置された社員端末２のＩＤまたはその端末を利用する社員のＩＤが含まれている。
【００６６】
履歴管理部５７は、社員端末２からのリクエストに応じて、広告配信履歴記憶部５５に記憶されている履歴データ及び座席表データ記憶部５６に記憶されている座席表データを送信する。例えば、履歴管理部５７は社員端末２から社員端末ＩＤの通知を受けると、広告配信履歴記憶部５５に記憶されている配信履歴の中から、通知を受けた社員端末ＩＤの社員端末２に対する履歴データを送信する。
【００６７】
本実施形態では、例えば以下のようにして、詳細広告を参照する広告ＩＤを特定する。すなわち、社員Ｂがある社員端末２に表示されていた基本広告に興味を持ったときに、その社員端末２を特定し、特定された社員端末２の基本広告の表示履歴に基づいて、興味を持った広告を特定する。このとき、社員端末２を特定するために、座席表データを利用することができる。
【００６８】
以下、フロー図を用いてその処理手順を説明する。
【００６９】
図９は、第３の処理手順を示すフローチャートを示す。
【００７０】
まず、本実施形態では、ステップＳ１１〜Ｓ１３は、既に説明した第１の実施形態の第１の態様と同一である。
【００７１】
本実施形態では、社内サーバ１０の広告配信部１３がステップＳ１２で広告データを送信した後、広告配信履歴記憶部５５に配信履歴を追加する（Ｓ３１）。
【００７２】
また、社員端末Ｂは、社員Ｂからの指示に基づいて社内サーバ１０に対して座席表データをリクエストする（Ｓ３２）。
【００７３】
社内サーバ１０の履歴管理部５７は、このリクエストに応じて座席表データ記憶部５６に記憶されている座席表データを社員端末Ｂへ送信する（Ｓ３３）。ここで、座席表データは、予め各社員端末２が保持していてもよい。その場合、ステップＳ３２及びＳ３３は不要である。
【００７４】
社員端末Ｂは、この座席表データを受け取って、表示装置に座席表を表示させる（Ｓ３４）。社員Ｂは、この座席表を参照して、自分が興味を持った基本広告が表示されていた社員端末２を特定する。例えば、ここでは、社員Ｂは社員端末Ａに表示されていた基本広告に興味を持ったとする。なお、社員Ｂが自分が興味を持った基本広告が表示されていた社員端末２を利用する社員を特定できれば、座席表を用いることなく、直接社員ＩＤを入力するなどして、社員を特定してもよい。
【００７５】
社員端末Ａが選択されると、座席表データに含まれている社員端末Ａの社員端末ＩＤまたは社員ＩＤが社内サーバ１０へ通知される（Ｓ３５）。
【００７６】
履歴管理部５７は、広告配信履歴記憶部５５に記憶されている社員端末Ａの履歴データを社員端末Ｂへ送信する（Ｓ３６）。
【００７７】
社員端末Ｂは、この履歴データを受信して、表示装置に社員端末Ａに表示された広告の履歴を表示する（Ｓ３７）。社員Ｂがこの履歴の中から、詳細を知りたい広告を選択すると、選択された広告のＩＤと社員Ｂの社員ＩＤが社内サーバ１０へ通知される（Ｓ３８）。
【００７８】
この後、ステップＳ１６〜Ｓ１８が、既に説明した第１の実施形態の第１の態様と同じ要領で実行され、社員Ｂの個人端末３１で詳細広告を参照可能となる。
【００７９】
本実施形態によれば、気になる基本広告を表示していた他人の社員端末が、誰の社員端末であるかが分からなくても、座席表を用いて社員端末を特定できる。さらに、興味を持った基本広告のＩＤを覚えていないときでも、社員端末での表示履歴を参照して広告を特定できる。
【００８０】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００８１】
【図１】本発明の第１の実施形態に係る広告システムの構成図である。
【図２】広告データ記憶部１１のデータ項目の一例を示す。
【図３】社員情報記憶部１２のデータ項目の一例を示す。
【図４】復帰画面２００の一例を示すである。
【図５】広告指定画面３００の一例を示すである。
【図６】第１の処理手順を示すフローチャートを示す。
【図７】第２の処理手順を示すフローチャートを示す。
【図８】本発明の第２の実施形態に係る広告システムの構成図である。
【図９】第３の処理手順を示すフローチャートを示す。
【符号の説明】
【００８２】
１，５    社内システム
２           社員端末
３      外部ネットワークシステム
５      社内システム
１０，５０           社内サーバ
１１    広告データ記憶部
１２    社員情報記憶部
１３    広告配信部
１４    電子メール送信部
３１    個人端末
３３    広告サーバ
５５    広告配信履歴記憶部
５６    座席表データ記憶部
５７    履歴管理部
【図１】
2008191414.tif 000003
【図２】
2008191414.tif 000004
【図３】
2008191414.tif 000005
【図４】
2008191414.tif 000006
【図５】
2008191414.tif 000007
【図６】
2008191414.tif 000008
【図７】
2008191414.tif 000009
【図８】
2008191414.tif 000010
【図９】
2008191414.tif 000011